(57)【要約】【課題】金融機関側のＷｅｂサイトと証券業者側のＷｅｂサイトとの相互連携を図りつつ、顧客に対してワンストップショップの利便性を提供すること。【解決手段】本発明は、銀行側装置１の提供するＷｅｂサイトにおいて金融情報を提供中に、ユーザ端末４の指示により証券取引が要求された場合に、銀行側装置１の主制御部のセッション管理機能１２ｃにより、当該ユーザ端末４とのセッションを自動的に証券業者側装置２へと切り替え、その後もその情報を監視するものであり、切り換え後の互いのセッション状態をハートビート等により通知することを特徴とし、ワンストップショップを実現する金融商品取引システム及び方法である。【選択図】      図１
2006215904.tif 000002
【特許請求の範囲】
【請求項１】
ユーザ端末とネットワークを介して通信自在な第１装置と第２装置とで構成される金融商品取引システムであって、
上記第１装置は、金融取引用のＩＤ及びパスワード、及び証券取引用のＩＤ及びパスワードを含む顧客情報を記憶する第１記憶手段と、上記ユーザ端末からのアクセスがなされた場合に認証を行う第１認証手段と、上記ユーザ端末と上記第１装置及び上記第２装置との間のセッションの切り換え及び管理を行う第１セッション管理手段と、を有し、
上記第２装置は、証券取引用のＩＤ及びパスワードを含む証券取引情報を記憶する第２記憶手段と、上記第１装置を介してユーザ端末からのアクセス要求がなされた場合に上記証券取引用のＩＤ及びパスワードにより認証を行う第２認証手段と、上記ユーザ端末と上記第１装置及び上記第２装置との間のセッションの切り換え及び管理を行う第２セッション管理手段と、を有しており、
上記第１認証手段は、上記ユーザ端末により証券取引が指示された場合には当該ユーザの金融取引用のＩＤに対応する証券取引用のＩＤ及びパスワードを送信し、上記第２認証手段は当該証券取引用のＩＤ及びパスワードにより認証を行い、
この認証が成立した後、上記第１及び第２セッション管理手段が、当該ユーザ端末とのセッションを第１装置側から第２装置側に自動的に切り替え、管理する、
ことを特徴とする金融商品取引システム。
【請求項２】
ユーザ端末とネットワークを介して通信自在な第１装置と第２装置とで構成される金融商品取引システムであって、
上記第１装置は、上記ユーザ端末及び上記第２装置と通信する第１通信制御手段と、少なくとも普通預金情報、別段情報、顧客情報を記憶する第１記憶手段と、上記ユーザ端末に上記第１記憶手段に記憶された情報に基いて所定画面の情報を生成して送信する第１情報生成配信手段と、上記ユーザ端末と上記第１装置及び上記第２装置との間のセッションの切り換え及び管理を行う第１セッション管理手段と、上記第２装置からの要求があった場合に上記普通預金情報に含まれる残高の少なくとも一部を上記別段情報の残高に振替える証券取引入出金手段と、を有しており、
上記第２装置は、上記ユーザ端末及び上記第２装置と通信する第２通信制御手段と、少なくとも証券取引情報を記憶する第２記憶手段と、上記ユーザ端末に対して上記第２記憶手段に記憶された情報に基いて所定画面の情報を生成して送信する第２情報生成配信手段と、上記ユーザ端末と上記第１装置及び上記第２装置との間のセッションの切り換え及び当該セッションの管理を行う第２セッション管理手段と、上記ユーザ端末から金融商品の取引の要求がなされた場合に上記普通預金情報に含まれる残高の少なくとも一部を上記別段情報の残高に振替えるよう指示し、当該振替後の残金に基いて証券取引を行う証券取引処理手段と、を有しており、
上記第１及び第２セッション管理手段は、上記ユーザ端末からの要求に応じて当該ユーザ端末とのセッションを第２装置側に自動的に切り替え、その情報を管理することを特徴とする金融商品取引システム。
【請求項３】
上記第１及び第２セッション管理手段は、相互にハートビートを送受信することで互いの上記ユーザ端末とのセッションの維持状態を検知し管理することを更に特徴とする請求項１又は２に記載の金融商品取引システム。
【請求項４】
上記第１及び第２情報生成配信手段は、上記第１情報生成配信手段が生成して配信した画面ファイルの一部を上記第２情報生成配信手段が生成して配信した画面ファイルで置換することで、金融取引に関する情報の閲覧を示唆することを更に特徴とする請求項２に記載の金融商品取引システム。
【請求項５】
ユーザ端末とネットワークを介して通信自在な第１装置と第２装置とで構成される金融商品取引システムによる金融商品取引方法であって、
上記第１装置の第１認証手段は、上記ユーザ端末により証券取引が指示された場合に当該ユーザの金融取引用のＩＤに対応する証券取引用のＩＤ及びパスワードを送信し、上記第２装置の第２認証手段は当該証券取引用のＩＤ及びパスワードによる認証を行い、この認証が成立した後、上記第１装置の第１セッション管理手段及び上記第２装置の第２セッション管理手段が上記ユーザ端末とのセッションを上記第１装置側から上記第２装置側に自動的に切り替え、管理することを特徴とする金融商品取引方法。
【請求項６】
ユーザ端末とネットワークを介して通信自在な第１装置と第２装置とで構成される金融商品取引システムによる金融商品取引方法であって、
上記第１装置の第１セッション管理手段及び上記第２装置の第２セッション管理手段が上記ユーザ端末からの要求に応じて当該ユーザ端末とのセッションを第２装置側に自動的に切り替え、その情報を管理することを特徴とする金融商品取引方法。
【請求項７】
上記第１及び第２セッション管理手段が、相互にハートビートを送受信することで互いのユーザ端末とのセッションの維持状態を検知し管理することを更に特徴とする請求項５又は６のいずれか記載の金融商品取引方法。
【請求項８】
上記第１装置の第１情報生成配信手段及び上記第２装置の第２情報生成配信手段が、第１情報生成配信手段が生成して配信した画面ファイルの一部を第２情報生成配信手段が生成して配信した画面ファイルで置換することで、金融取引に関する情報の閲覧を示唆することを更に特徴とする請求項５又は６のいずれかに記載の金融商品取引方法。
【発明の詳細な説明】
【技術分野】
【０００１】
本発明は、例えばインターネット等を介して有価証券等の金融商品の取引を実現する金融商品取引システム及び方法に関する。
【背景技術】
【０００２】
今日、有価証券等の金融商品の売買注文については、顧客である注文者が自己のユーザ端末より証券業者が提供するＷｅｂサイトにアクセスし、所定の認証の後、売買注文に関する情報を所定画面で入力すれば、当該証券業者の保有する証券取引所直結システムが証券取引所に対して売買注文を行うような仕組みが実現されている。そして、このような証券取引に伴う各種の問題を解決するための提案が各種なされている。
【０００３】
例えば、特許文献１では、有価証券の買い注文に相当する額が買付余力を超える場合には、当該顧客によって指定された金融機関の預金交差における残高をもって補填するような有価証券取引システムが開示されている。
【０００４】
一方、銀行等の金融機関は、自己のＷｅｂサイトにて、ユーザが自己の金融取引情報を適宜閲覧できるようなサービスを提供している。
【特許文献１】特開２００２−０６３５２２号公報
【発明の開示】
【発明が解決しようとする課題】
【０００５】
しかしながら、銀行等の金融機関側のＷｅｂサイトにアクセスしたユーザが、金融商品の売買注文等を所望とした場合に、ユーザ端末との間のセッションを銀行側のＷｅｂサーバから証券業者のＷｅｂサーバ側に自動的に切換え、あたかも銀行側のＷｅｂサイトを介して証券取引を行っているかのような印象を与えるほど簡易且つ簡便に金融商品の取引を行えるシステムについては、上記従来技術も含めて実現されてはいない。
【０００６】
本発明の目的とするところは、金融機関側のＷｅｂサイトと証券業者側のＷｅｂサイトとの連携を図りつつ、顧客の認証に係る操作負担を軽減し、銀行側のＷｅｂサイトを介しての金融商品の取引を簡易な操作で迅速に実行することを可能とし、顧客に対してワンストップショップの利便性を提供することにある。
【課題を解決するための手段】
【０００７】
上記目的を達成するために、本発明の第１の態様は、ユーザ端末とネットワークを介して通信自在な第１装置と第２装置とで構成される金融商品取引システムであって、  上記第１装置は、金融取引用のＩＤ及びパスワード、及び証券取引用のＩＤ及びパスワードを含む顧客情報を記憶する第１記憶手段と、上記ユーザ端末からのアクセスがなされた場合に認証を行う第１認証手段と、上記ユーザ端末と上記第１装置及び上記第２装置との間のセッションの切り換え及び管理を行う第１セッション管理手段と、を有し、上記第２装置は、証券取引用のＩＤ及びパスワードを含む証券取引情報を記憶する第２記憶手段と、上記第１装置を介してユーザ端末からのアクセス要求がなされた場合に上記証券取引用のＩＤ及びパスワードにより認証を行う第２認証手段と、上記ユーザ端末と上記第１装置及び上記第２装置との間のセッションの切り換え及び管理を行う第２セッション管理手段と、を有しており、上記第１認証手段は、上記ユーザ端末により証券取引が指示された場合には当該ユーザの金融取引用のＩＤに対応する証券取引用のＩＤ及びパスワードを送信し、上記第２認証手段は当該証券取引用のＩＤ及びパスワードにより認証を行い、この認証が成立した後、上記第１及び第２セッション管理手段が、当該ユーザ端末とのセッションを第１装置側から第２装置側に自動的に切り替え、管理する、ことを特徴とする。
【０００８】
本発明の第２の態様は、ユーザ端末とネットワークを介して通信自在な第１装置と第２装置とで構成される金融商品取引システムであって、上記第１装置は、上記ユーザ端末及び上記第２装置と通信する第１通信制御手段と、少なくとも普通預金情報、別段情報、顧客情報を記憶する第１記憶手段と、上記ユーザ端末に上記第１記憶手段に記憶された情報に基いて所定画面の情報を生成して送信する第１情報生成配信手段と、上記ユーザ端末と上記第１装置及び上記第２装置との間のセッションの切り換え及び管理を行う第１セッション管理手段と、上記第２装置からの要求があった場合に上記普通預金情報に含まれる残高の少なくとも一部を上記別段情報の残高に振替える証券取引入出金手段と、を有し、上記第２装置は、上記ユーザ端末及び上記第２装置と通信する第２通信制御手段と、少なくとも証券取引情報を記憶する第２記憶手段と、上記ユーザ端末に対して上記第２記憶手段に記憶された情報に基いて所定画面の情報を生成して送信する第２情報生成配信手段と、上記ユーザ端末と上記第１装置及び上記第２装置との間のセッションの切り換え及び当該セッションの管理を行う第２セッション管理手段と、上記ユーザ端末から金融商品の取引の要求がなされた場合に上記普通預金情報に含まれる残高の少なくとも一部を上記別段情報の残高に振替えるよう指示し、当該振替後の残金に基いて証券取引を行う証券取引処理手段と、を有しており、上記第１及び第２セッション管理手段は、上記ユーザ端末からの要求に応じて当該ユーザ端末とのセッションを第２装置側に自動的に切り替え、その情報を管理することを特徴とする。
【０００９】
この第１及び第２の態様において、上記第１及び第２セッション管理手段は、相互にハートビートを送受信することで互いの上記ユーザ端末とのセッションの維持状態を検知し管理することを更に特徴としてもよい。
【００１０】
この第２の態様において、上記第１及び第２情報生成配信手段は、上記第１情報生成配信手段が生成して配信した画面ファイルの一部を上記第２情報生成配信手段が生成して配信した画面ファイルで置換することで、金融取引に関する情報の閲覧を示唆することを更に特徴としてもよい。
【００１１】
本発明の第３の態様は、ユーザ端末とネットワークを介して通信自在な第１装置と第２装置とで構成される金融商品取引システムによる金融商品取引方法であって、上記第１装置の第１認証手段は、上記ユーザ端末により証券取引が指示された場合に当該ユーザの金融取引用のＩＤに対応する証券取引用のＩＤ及びパスワードを送信し、上記第２装置の第２認証手段は当該証券取引用のＩＤ及びパスワードによる認証を行い、この認証が成立した後、上記第１装置の第１セッション管理手段及び上記第２装置の第２セッション管理手段が上記ユーザ端末とのセッションを上記第１装置側から上記第２装置側に自動的に切り替え、管理することを特徴とする。
【００１２】
本発明の第４の態様は、ユーザ端末とネットワークを介して通信自在な第１装置と第２装置とで構成される金融商品取引システムによる金融商品取引方法であって、上記第１装置の第１セッション管理手段及び上記第２装置の第２セッション管理手段が上記ユーザ端末からの要求に応じて当該ユーザ端末とのセッションを第２装置側に自動的に切り替え、その情報を管理することを特徴とする。
【００１３】
この第３及び第４の態様で、上記第１及び第２セッション管理手段が、相互にハートビートを送受信することで互いのユーザ端末とのセッションの維持状態を検知し管理することを更に特徴としてもよい。
【００１４】
この第３及び第４の態様で、上記第１装置の第１情報生成配信手段及び上記第２装置の第２情報生成配信手段が、第１情報生成配信手段が生成して配信した画面ファイルの一部を第２情報生成配信手段が生成して配信した画面ファイルで置換することで、金融取引に関する情報の閲覧を示唆することを更に特徴としてもよい。
【発明の効果】
【００１５】
本発明によれば、金融機関側のＷｅｂサイトと証券業者側のＷｅｂサイトとの連携を図りつつ、顧客の認証に係る操作負担を軽減し、銀行側のＷｅｂサイトを介しての金融商品の取引を簡易な操作で迅速に実行することを可能とし、顧客に対してワンストップショップの利便性を提供する金融商品取引システム及び方法を提供することができる。
【発明を実施するための最良の形態】
【００１６】
以下、図面を参照して本発明の一実施の形態について説明する。
【００１７】
図１は本発明の一実施の形態に係る金融商品取引システムの構成例である。
【００１８】
この図１に示されるように、パーソナルコンピュータ等によるユーザ端末４は、インターネット等のネットワーク５を介して銀行側装置１及び証券業者側装置２と通信自在に接続されている。さらに、銀行側装置１と証券業者側装置２とは、ネットワーク５を介して相互に通信自在に接続されている。銀行側装置１は、更に通信制御部１１、主制御部１２、記憶部１３を備えており、更に主制御部１２は認証機能１２ａ、情報生成配信機能１２ｂ、セッション管理機能１２ｃ、証券取引入出金機能１２ｄ、管理機能１２ｅを有する。一方、証券業者側装置２は、通信制御部２１、主制御部２２、記憶部２３を備えており、更に主制御部２２は認証機能２２ａ、情報生成配信機能２２ｂ、セッション管理機能２２ｃ、認証取引処理機能２２ｄ、管理機能２２ｅを有する。この証券業者側には、証券取引市場６の各証券取引所のホストコンピュータ６ａ乃至６ｃと接続される証券取引所直結システム３が更に配設されている。この証券取引所直結システム３は、証券業者側装置２と通信自在に接続されている。
【００１９】
そして、この実施の形態に係る金融商品取引システムは、上記銀行側装置１と証券業者側装置２とを少なくとも含む構成となっている。尚、この金融商品取引システムの上記銀行側装置１、証券業者側装置２は、物理的に１台のサーバにより構成して上述した機能を論理的に区分けして実行するようにしても、或いは各機能を実行する複数台のサーバにより構成してもよいことは勿論である。
【００２０】
このような構成において、金融商品取引システムを構成する銀行側装置１側の主制御部１２が有する各機能ついて更に説明すると、認証機能１２ａとは銀行側装置１が提供するＷｅｂサイトにアクセスしてきたユーザ端末４のユーザ認証を例えばＩＤ及びパスワードによる行う機能である。情報生成配信機能１２ｂとは、ユーザ端末４からのリクエストに応じて記憶部１３に格納されている各種情報を読み出し、当該情報を加工してＷｅｂ画面に係るファイルを生成し、当該ファイルをユーザ端末４に配信する機能である。セッション管理機能１２ｃとは、詳細については後述するが、ユーザ端末４との間のセッションの証券業者側装置２への自動的な切換え、更にはその管理をハートビート等により実施する機能である。証券取引入出金機能１２ｄとは、普通預金口座と所謂別段口座との間で証券取引にかかわる入出金や振替を行う機能である。そして、管理機能１２ｅとは、顧客情報や金融取引、証券取引に関わる各種情報を管理する機能である。
【００２１】
ここで、記憶部１３はデータベースとして構成されるものであるが、図２乃至図４の各テーブル１００乃至１０２が格納されている。すなわち、図２は普通預金情報テーブル１００であり、少なくとも顧客のＩＤ１、氏名、口座番号、残高、取引履歴情報が対応付けられて記憶されている。そして、図３は別段情報テーブル１０１であり、顧客のＩＤ１と氏名、口座番号、残高が対応付けられて記憶されている。さらに、図４は顧客情報テーブル１０１であり、顧客の銀行取引用のＩＤ１と当該ＩＤ２に対応するパスワード、証券取引用のＩＤ２と当該ＩＤ２に対応するパスワード、及び顧客情報（例えば、顧客の氏名や住所、電話番号等）が対応付けられて記憶されている。但し、これらテーブル１００乃至１０２は一例にすぎず、これに限定されなことは勿論である。
【００２２】
一方、金融商品取引システムを構成する証券業者側装置２側の主制御部２２が有する各機能ついて更に説明すると、認証機能２２ａとは証券業者側装置２が提供するＷｅｂサイトに銀行側のＷｅｂサイトを経由してアクセスしてきたユーザ端末４のユーザ認証を行う機能である。ここでの認証は、銀行側装置１から送信されてきたユーザＩＤ２（証券取引用）及び当該ＩＤ２に対応するパスワードにより実施されることになる。これにより、ユーザ端末４におけるユーザの情報入力に伴う操作負担を軽減している。情報生成配信機能２２ｂとは、ユーザ端末４からのリクエストに応じて記憶部２３に格納されている各種情報を読み出し、当該情報を加工してＷｅｂ画面に係るファイルを生成し、当該ファイルをユーザ端末４に配信する機能である。セッション管理機能２２ｃとは、詳細については後述するが、ユーザ端末４との間のセッションを銀行側装置１側から自己の方に自動的に切換え、その管理をハートビート等により実施する機能である。証券取引処理機能２２ｄとは、証券の売買注文等の証券取引処理を行う機能である。そして、管理機能１２ｅとは、顧客情報や証券取引に関わる情報を管理する機能である。
【００２３】
ここで、記憶部２３はデータベースとして構成されるものであるが、図５のテーブル２００が格納されている。証券取引情報テーブル２００には、証券取引に関わる顧客のＩＤ２と当該ＩＤ２に対応するパスワード、氏名、口座番号、残高、証券取引履歴情報が対応付けられて少なくとも記憶されている。但し、テーブル２００は一例にすぎない。
【００２４】
次に図６はユーザ端末４にて表示される画面の一例を示す図である。
【００２５】
図６に示されるように、銀行側装置１の主制御部１２の情報生成配信機能１２ｂにより前述したようにして画面のファイルが生成され配信されると、ユーザ端末４に実装されているＷｅｂブラウザが機能し、同図に示すような画面３００を表示する。この例では、実際に銀行側装置１の情報生成配信機能１２ｂにより送信された画面ファイルに関わる表示は領域３０１の部分だけである。即ち、この画面３００では、証券取引に移行した後を想定しているので、画面３００の領域３０２は、証券業者側装置２の主制御部２２の情報生成配信機能２２ｂが生成した画面ファイルに係る部分である。このような画面３００は、顧客から見れば、あたかも銀行側のＷｅｂサイトを介して証券取引に関わる情報を閲覧したり証券取引をしたりすることが可能なような印象を与えることから、顧客に対して所謂ワンストップショップの利便性を提供するものといえる。
【００２６】
以下、図７乃至図１３のフローチャートを参照して、本発明の一実施の形態に関わる金融商品取引システムによる一連の動作を詳細に説明する。
【００２７】
図７に示されるように、ユーザ端末４にてＷｅｂブラウザが起動され、銀行側装置１の提供するＷｅｂサイトにアクセスされると、銀行側装置１は所定の認証画面のファイルをユーザ端末４側に送信する。ユーザ端末４では当該認証画面が表示され、ＩＤ１及びパスワードが入力され、送信されると（ステップＳ１）、銀行側装置１は当該ＩＤ１とパスワードを受信し（ステップＳ２）、記憶部１３の顧客情報テーブル１０２を参照して所定の認証を行う（ステップＳ３）。そして、認証が成立しなかった場合には（ステップＳ４をＮｏに分岐）、アクセス不許可通知をユーザ端末４に送信する（ステップＳ５）。ユーザ端末４では、このアクセス不許可通知を受信し、表示する（ステップＳ６）。一方、認証が成立した場合には（ステップＳ４をＹｅｓに分岐）、情報生成配信機能１２ｂが所定の画面ファイルを生成し、配信する（ステップＳ７）。ユーザ端末４では、この画面ファイルを受信し、表示する（ステップＳ８）。
【００２８】
これ以降、銀行取引に関する各種情報の閲覧が可能となる。
【００２９】
即ち、ユーザ端末４にて所定の操作入力がなされ、ある情報の詳細な閲覧がリクエストされると（ステップＳ９）、銀行側装置１は当該リクエスト（通知）を受信し（ステップＳ１０）、情報生成配信機能１２ｂが記憶部１３の顧客情報テーブル１０２或いは普通預金情報テーブル１００等を参照して要求に対応した情報を抽出し、画面ファイルを生成し、ユーザ端末４に送信する（ステップＳ１１）。ユーザ端末４は、この画面ファイルを受信し表示する（ステップＳ１２）。一方、ユーザ端末４にて所定の操作入力がなされ、証券取引（証券の売買注文等）の指示が通知されると（ステップＳ１３）、銀行側装置１は、この通知を受信し（ステップＳ１４）、当該ユーザのＩＤ１に対応する証券取引用のＩＤ２及びパスワードを証券業者側装置２に送信する（ステップＳ１５）。証券業者側装置２は、このＩＤ２及びパスワードを受信すると、認証機能２２ａが図５に示した証券取引情報テーブル２００を参照し、所定の認証を行う（ステップＳ１６）。そして、認証が成立しなかった場合には（ステップＳ１７をＮｏに分岐）、アクセス不許可通知を銀行側装置１に送信し（ステップＳ１８）、銀行側装置１はこれを受信するとユーザ端末４へと転送する（ステップＳ１９）。ユーザ端末４は、このアクセス不許可通知を受信し、表示する（ステップＳ２０）。一方、認証が成立した場合には（ステップＳ１７をＹｅｓに分岐）、ユーザ端末４との間のセッションを証券業者側装置２に切り換える旨を銀行側装置１に通知する（ステップＳ２１）。銀行側装置１は、これを受信すると、セッション管理機能１２ｃがセッションの情報を更新する（ステップＳ２２）。また、証券業者側装置２は、情報生成配信機能２２ｂにより証券取引にかかる画面ファイルを生成してユーザ端末４に配信する（ステップＳ２３）。ユーザ端末４は、これを受信し表示する（ステップＳ２４）。
【００３０】
これ以降、証券業者側装置２による証券取引が可能となる。
【００３１】
但し、ユーザ端末４での表示は、先に図６に示されたように画面３００の領域３０２のみがＷｅｂブラウザの機能により適宜更新されるような態様となるので、継続して銀行側のＷｅｂサイトで証券取引まで可能となったような印象を与える。即ち、所謂ワンストップショップが以上の処理により実現されることになる。
【００３２】
次に図８のフローチャートを参照して、ユーザ端末４とのセッションが証券業者側装置２側に切り替わった後の、セッション管理処理について説明する。
【００３３】
前述したように、ユーザ端末４との間のセッションが証券業者側装置２に切り替わった後においては、銀行側装置１は自己とユーザ端末１との間のセッションが未だ接続されている旨を証券業者側装置２に知らしめる必要がある。そこで、セッション管理機能１２ｃによりハートビートを定期的に証券業者側装置２に送信する（ステップＳ３１）。証券業者側装置２は、このハートビートによりセッション管理機能２２ｃが銀行側装置１とユーザ端末４とのセッションの状況を検知する（ステップＳ３２）。そして、所定時間が経過するまで上記動作を繰り返し、所定時間が経過すると、銀行側装置１はユーザ端末４とのセッションを切断し、その旨を証券業者側装置２に送信する（ステップＳ３３）。証券業者側装置２は、この通知を受信すると、セッション管理機能２２ｃがセッションの情報を更新する（ステップＳ３４）。
【００３４】
次に図９のフローチャートを参照して、ユーザ端末４とのセッションが証券業者側装置２に切り替わった後、再び銀行取引が要求された場合の処理について説明する。
【００３５】
ユーザ端末４にて銀行取引が再び指示されると（ステップＳ４１）、証券業者側装置２が当該指示に係る通知を受信し（ステップＳ４２）、セッション管理機能２２ｃがセッションを切換え、その旨を銀行側装置１に通知する（ステップＳ４３）。銀行側装置１は、この通知を受信するとセッション管理機能１２ｃがセッションの切換えを行い（ステップＳ４４）、情報生成配信機能１２ｂが、所定の画面ファイルを生成し、ユーザ端末４に送信する（ステップＳ４５）。ユーザ端末４は、これを受信し、表示する（ステップＳ４６）。これ以降、再び銀行側装置１により提供されるＷｅｂサイトでの閲覧がなされることになるが、証券業者側装置２は、直ちにセッションを切断するのではなく、所定時間経過まではセッションを維持する。その旨を銀行側装置１に知らしめるべく、セッション管理機能２２ｃが所定時間毎にハートビートを送信する（ステップＳ４７）。銀行側装置１は、このハートビートを受信することで未だ証券業者側装置２が接続されていることを検知する（ステップＳ４８）。こうして所定時間が経過するまでは、以上の処理を繰り返し、所定時間経過すると証券業者側装置２はユーザ端末４との間のセッションを切断し、その旨を銀行側装置１に通知する（ステップＳ５０）。銀行側装置１は、この通知を受信すると、セッション管理機能１２ｃがセッションに関わる情報を更新することになる（ステップＳ５１）。これ以降も、銀行側装置１による閲覧サービスは継続される。
【００３６】
次に図１０のフローチャートを参照して、ユーザ端末４より投資情報参照の要求があった場合の処理について詳細に説明する。ユーザ端末４で所定の操作入力がなされ、自己の投資情報を閲覧した旨のリクエストがなされると（ステップＳ６１）、証券業者側装置２は、このリクエストを受信して（ステップＳ６２）、記憶部２３の証券取引情報テーブル２００を参照し、証券の売買注文可能な残高の情報を抽出し、更に銀行側装置１の普通預金情報テーブル１００の参照を要求する（ステップＳ６３）。銀行側装置１は、この要求を受信すると（ステップＳ６４）、先に図２に示した普通預金情報テーブル１００を参照し、その残高の総額、即ち証券の売買注文に振替可能な金額を算定し、その情報を通知する（ステップＳ６５）。証券業者側装置２は、この情報を受信すると、上記証券取引情報テーブル２００の残高との総額を演算し（ステップＳ６６）、投資情報としてユーザ端末４に送信する（ステップＳ６７）。ユーザ端末４は、この情報を受信し、表示する（ステップＳ６８）。
【００３７】
次に図１１のフローチャートを参照して、ユーザ端末４より証券の買い注文がなされた場合の処理について詳細に説明する。
【００３８】
ユーザ端末４において所定の操作入力がなされ、証券の買い注文がなされると、購入希望の銘柄、株数を少なくとも含む注文情報が証券業者側装置２に送信される（ステップＳ７１）。証券業者側装置２は、この注文情報を受信すると（ステップＳ７２）、投資可不足演算を行い、記憶部２３の証券取引情報テーブル２００に記憶されている残高が注文に係る投資額に満たない場合にはホールド要求を銀行側装置１に行うことになる（ステップＳ７３）。銀行側装置１は、このホールド要求を受信すると（ステップＳ７４）、記憶部１３の普通預金情報テーブル１００を参照し、必要な金額を普通預金から別段預金への振替を行い、これをもってホールド完了とし、その旨、つまり不足分を別段情報テーブル１０１の残高に振替る旨を通知する（ステップＳ７５）。証券業者側装置２は、この通知を受信すると、管理機能２２ｅが投資可能額の情報、つまり証券取引情報テーブル２００の残高の情報を更新し（ステップＳ７６）、こうして証券取引所連結システム３を介して買い注文を実施する（ステップＳ７７）。
【００３９】
次に図１２のフローチャートを参照して、ユーザ端末４より証券の売り注文がなされた場合の処理について詳細に説明する。ユーザ端末４において所定の操作入力がなされ、証券の売り注文がなされると、ユーザが売却を希望する証券の銘柄、及びその株数を少なくとも含む売却情報が証券業者側装置２に送信される（ステップＳ８１）。証券業者側装置２は、この売却情報を受信すると（ステップＳ８２）、証券取引所連結システム３を介して売り注文を実施することになる（ステップＳ８３）。
【００４０】
次に図１３のフローチャートを参照して、バッジ処理で実現される精算処理について詳細に説明する。証券業者側装置２では、約定成立後、管理機能２２ｅが証券取引清算処理をバッジ処理により実施し（ステップＳ９１）、証券取引情報テーブル２００に記憶されている残高を顧客の普通預金情報テーブル１００に振替するために、預金情報として送信する（ステップＳ９２）。銀行側装置１は、この情報を受信すると、普通預金情報テーブル１００の残高の情報を更新する（ステップＳ９４）。
【００４１】
以上詳述したように、本発明の一実施の形態によれば、ユーザがユーザ端末４を操作して銀行側装置１にアクセスした後、「証券取引」を実施することを所望とした場合、改めて証券業者側装置２に対してＩＤ及びパスワードを送信することなくセッションの切り替えが自動的になされるので、操作性が向上される。しかも、銀行側のＷｅｂサイトで提供する画面の一部をＷｅｂブラウザにより証券業者側装置２の提供する画面に更新するような形式をとっているので、ユーザに所謂ワンストップショップで証券取引を実施しているとの印象を与え、信頼性もより一層与えることが可能となる。更に、証券業者側装置２が証券取引を行うに際して、銀行側装置１の別段情報テーブル１０１を適宜活用し、証券の売買注文の額に応じて適宜証券業者側装置２の証券取引情報テーブル２００に振替ることができるので、顧客の注文に迅速に対応することができる。
【００４２】
尚、本発明は上記実施の形態に限定されることなく、その趣旨を逸脱しない範囲で種々の改良・変更が可能であることは勿論である。例えば、上記実施の形態では、証券取引に関わる実施の形態について説明したが、これに限定されず、株価指数先物、転換社債、公社債、外国債等に関する各種の取引を行うことも可能である。
【図面の簡単な説明】
【００４３】
【図１】本発明の一実施の形態に係る金融商品取引システムの構成図である。
【図２】記憶部１３に格納される普通預金情報テーブル１００の構成図である。
【図３】記憶部１３に格納される別段情報テーブル１０１の構成図である。
【図４】記憶部１３に格納される顧客情報テーブル１０２の構成図である。
【図５】記憶部２３に格納される証券取引情報テーブル２００の構成図である。
【図６】証券取引に関わる画面３００の構成例を示す図である。
【図７】本発明の一実施の形態に関わる金融商品取引システムによる一連の動作を詳細に説明するフローチャートである。
【図８】本発明の一実施の形態に関わる金融商品取引システムによるユーザ端末４とのセッションが証券業者側装置２側に切り替わった後のセッション管理処理について説明するフローチャートである。
【図９】本発明の一実施の形態に関わる金融商品取引システムによるユーザ端末４とのセッションが証券業者側装置２に切り替わった後、再び銀行取引が要求された場合の処理について説明するフローチャートである。
【図１０】本発明の一実施の形態に関わる金融商品取引システムによるユーザ端末４より投資情報参照の要求があった場合の処理について説明するフローチャートである。
【図１１】本発明の一実施の形態に関わる金融商品取引システムによるユーザ端末４より証券の買い注文がなされた場合の処理について説明するフローチャートである。
【図１２】本発明の一実施の形態に関わる金融商品取引システムによるユーザ端末４より証券の売り注文がなされた場合の処理について説明するフローチャートである。
【図１３】本発明の一実施の形態に関わる金融商品取引システムによるバッジ処理で実現される精算処理について説明するフローチャートである。
【符号の説明】
【００４４】
１・・・銀行側装置、２・・・証券業者側装置、３・・・証券取引所直結システム、４・・・ユーザ端末、５・・・ネットワーク、６・・・証券取引市場、１１・・・通信制御部、１２・・・主制御部、１３・・・記憶部、２１・・・通信制御部、２２・・・主制御部、２３・・・記憶部。
【図１】
2006215904.tif 000003
【図２】
2006215904.tif 000004
【図３】
2006215904.tif 000005
【図４】
2006215904.tif 000006
【図５】
2006215904.tif 000007
【図６】
2006215904.tif 000008
【図７】
2006215904.tif 000009
【図８】
2006215904.tif 000010
【図９】
2006215904.tif 000011
【図１０】
2006215904.tif 000012
【図１１】
2006215904.tif 000013
【図１２】
2006215904.tif 000014
【図１３】
2006215904.tif 000015